(57)【要約】【課題】本発明の課題は、ターミナルカバーの取り外し作業者がターミナルを破損することなく無事に取り外すことができるターミナルカバーおよびターミナル保護構造を提供することにある。【解決手段】ターミナルカバー４０，１４０は、爪部６１，１６１および遮蔽部ＰＢ，１５２，１５３を備える。爪部は、圧縮機１のケーシング２からケーシングの外側に突出するターミナル３の周囲に立設されるターミナルガード１０に設けられる開口３１に係合可能である。遮蔽部は、爪部が開口に係合したときに開口からターミナルに至る全経路を遮蔽する。【選択図】図１４
2007146728.tif 000002
【特許請求の範囲】
【請求項１】
圧縮機（１）のケーシング（２）から前記ケーシングの外側に突出するターミナル（３）の周囲に立設されるターミナルガード（１０）に設けられる開口（３１）に係合可能である爪部（６１，１６１）と、
前記爪部が前記開口に係合したときに前記開口から前記ターミナルに至る全経路を遮蔽する遮蔽部（ＰＢ，１５２，１５３）と、
を備える、ターミナルカバー（４０，１４０）。
【請求項２】
前記爪部（６１）は、前記遮蔽部（ＰＢ）に取り付けられている、
請求項１に記載のターミナルカバー（４０）。
【請求項３】
前記遮蔽部（１５２，１５３）は、前記爪部（１６１）と分離して設けられており、前記爪部が前記開口に係合したときに前記爪部と前記ターミナルとの間に位置する、
請求項１に記載のターミナルカバー（１４０）。
【請求項４】
前記爪部（６１）は、前記開口への係合方向（Ｄｊ）の反対側に前記係合方向と直交する壁である第１壁部（６４）を有し、前記ターミナルガードの内側から係合する、
請求項１から３のいずれかに記載のターミナルカバー（４０）。
【請求項５】
前記爪部（６１）は、前記第１壁部の両端部から前記係合方向に向かって延びる２つの壁である第２壁部（６５ａ，６５ｂ）を有する、
請求項４に記載のターミナルカバー（４０）。
【請求項６】
前記爪部（６１）は、前記第２壁部の間に前記第２壁部の立ち上がり方向（Ｄｗ）と直交する面である第１面（Ｓｂ）を有する、
請求項５に記載のターミナルカバー（４０）。
【請求項７】
前記第２壁部は、前記爪部の突出側の端面（Ｓｆ４）が前記第１壁部から前記係合方向へ向かうに従って前記遮蔽部に向かって傾斜する、
請求項５または６に記載のターミナルカバー（４０）。
【請求項８】
前記爪部を挟むように前記爪部の近傍に配置され、前記係合方向に向かって延びるスリット部（６３）をさらに備える、
請求項１から７のいずれかに記載のターミナルカバー（４０，１４０）。
【請求項９】
前記第１壁部は、前記係合方向の反対側に前記係合方向と直交する面である第２面（Ｓｆ１）を有し、
前記開口は、前記爪部の侵入側の面である第３面（Ｓｉ）が前記係合方向と直交している、
請求項４から８のいずれかに記載のターミナルカバー（４０、１４０）。
【請求項１０】
圧縮機（１）のケーシング（２）から前記ケーシングの外側に突出するターミナル（３）の周囲に立設され、開口（３１）を有するターミナルガード（１０）と、
前記開口に係合可能である爪部（６１、１６１）と、前記爪部が前記開口に係合したときに前記開口から前記ターミナルに至る全経路を遮蔽する遮蔽部（ＰＢ、１５２，１５３）とを有するターミナルカバー（４０、１４０）と、
を備える、ターミナル保護構造。
【発明の詳細な説明】
【技術分野】
【０００１】
本発明は、圧縮機のケーシングから外側に突出するターミナルを保護するためのターミナルカバーおよびターミナル保護構造に関する。
【背景技術】
【０００２】
従来、圧縮機１のケーシング２の外側に突出するターミナル３（図１６参照）を保護するために、図２２および図２７に示されるようなターミナルガード９００及びターミナルカバー９５０が利用されてきた。
ターミナルガード９００は、図２２〜図２６に示されるように、主に、ターミナル３を挿通するための第１開口９１１を有しケーシング２の形状に沿った形状を呈する底部９１０と、底部９１０の縁から立設される第１囲い壁部９２０とから形成される金属製のガードである。ここで、第１囲い壁部９２０は、第１前壁部９２１、第１後壁部９２４、第１左壁部９２２、および第１右壁部９２３の４つの壁部を有している。そして、第１左壁部９２２および第１右壁部９２３には、それぞれ、ターミナルカバー９５０の爪部（後述）を係合するための円形の第２開口９３１が設けられている。また、第１前壁部９２１には、ターミナル３のターミナルピン４と接続されるリード線（図示せず）をターミナルガード９００の外側に導き出すための第１リード線通し口９３２が設けられている。
【０００３】
ターミナルカバー９５０は、図２７〜図３２に示されるように、主に、略方形の天壁部９６０と、天壁部９６０の縁から下方に延びる第２囲い壁部９７０とから形成される略升形の樹脂製カバーであって、先に説明したターミナルガード９００の内側に嵌め込まれる。ここで、第２囲い壁部９７０は、第２前壁部９７１、第２後壁部９７４、第２左壁部９７２、および第２右壁部９７３の４つの壁部を有している。そして、第２左壁部９７２および第２右壁部９７３には、それぞれ、幅方向のほぼ中央に、高さ方向のほぼ中央から下端に向かって延びる爪部９８１が設けられている。そして、この爪部９８１は、第２左壁部９７２および第２右壁部９７３の外側に突出しており、ターミナルガード９００の第２開口９３１とターミナルガード９００の内側から係合する。また、第２前壁部９７１には、ターミナル３のターミナルピン４と接続されるリード線をターミナルカバー９５０から導き出すための第２リード線通し口９８２が設けられている。
【０００４】
そして、このターミナルカバー９５０がターミナルガード９００に係合されると、図３３および図３４に示されるようなターミナル保護体が形成される。このターミナル保護体では、図３３から明らかなように、ターミナルガード９００の第２開口９３１の上部のほとんどがターミナルカバー９５０の第２左壁部９７２または第２右壁部９７３により遮蔽されるが、第２開口９３１の下部には若干の隙間Ｗが生じる。
【特許文献１】特開２００４−２９３５３９号公報
【発明の開示】
【発明が解決しようとする課題】
【０００５】
ところで、このようなターミナルカバー９５０をターミナルガード９００から取り外そうとする場合、多くの作業者などは、隙間Ｗに取り外し用ジグ（例えば、マイナスドライバー等）を差し込んでターミナルカバー９５０に対して係合方向と反対方向に力を加えたり、取り外しジグを爪部９８１に当てて爪部９８１を引っ込めようとするが、このとき、その作業者などは勢い余って取り外しジグをターミナルに当ててしまい、ターミナルを破損してしまうことがあった。
【０００６】
本発明の課題は、ターミナルカバーの取り外し作業者がターミナルを破損することなく無事に取り外すことができるターミナルカバーおよびターミナル保護構造を提供することにある。
【課題を解決するための手段】
【０００７】
第１発明に係るターミナルカバーは、爪部および遮蔽部を備える。爪部は、圧縮機のケーシングからケーシングの外側に突出するターミナルの周囲に立設されるターミナルガードに設けられる開口に係合可能である。遮蔽部は、爪部が開口に係合したときに開口からターミナルに至る全経路を遮蔽する。
このターミナルカバーは、爪部が開口に係合したときに開口からターミナルに至る全経路を遮蔽部が遮蔽する。このため、このターミナルカバーは、取り外し作業者がターミナルを破損することなく無事に取り外すことができる。
【０００８】
第２発明に係るターミナルカバーは、第１発明に係るターミナルカバーであって、爪部は、遮蔽部に取り付けられている。
このターミナルカバーでは、爪部が、遮蔽部に取り付けられている。このため、このターミナルカバーは、爪部と遮蔽部とが別に設けられる場合に比べて少ない樹脂の量で製造することができる。
【０００９】
第３発明に係るターミナルカバーは、第１発明に係るターミナルカバーであって、遮蔽部は、爪部と分離して設けられており、爪部が開口に係合したときに爪部とターミナルとの間に位置する。
このターミナルカバーでは、遮蔽部が、爪部と分離して設けられており、爪部が開口に係合したときに爪部とターミナルとの間に位置する。このため、このターミナルカバーは、爪部の下から力を加えることができ、ターミナルガードからの取り外しがさらに容易となる。
【００１０】
第４発明に係るターミナルカバーは、第１発明から第３発明のいずれかに係るターミナルカバーであって、爪部は、開口への係合方向の反対側に第１壁部を有する。そして、この第１壁部は、係合方向と直交する壁である。また、この爪部は、ターミナルガードの内側から係合する。
このターミナルカバーでは、爪部が、開口への係合方向の反対側に第１壁部を有し、ターミナルガードの内側から係合する。このため、このターミナルカバーは、反係合方向（引き抜き方向）に力が加わるように第１壁部に取り外し用ジグを当てれば、従来よりも小さい力でターミナルガードから引き抜くことができる。
【００１１】
第５発明に係るターミナルカバーは、第４発明に係るターミナルカバーであって、爪部は、第２壁部を有する。第２壁部は、第１壁部の両端部から係合方向に向かって延びる２つの壁である。
このターミナルカバーでは、爪部が、第２壁部を有する。このため、このターミナルカバーは、ターミナルガードから反係合方向（引き抜き方向）に引き抜かれるときに、係合方向および壁（第１壁部および第２壁部）の立ち上がり方向の両方向に直交する方向に取り外し用ジグがずれるのを防止することができる。したがって、このターミナルは、ターミナルガードからより容易に引き抜くことができる。
【００１２】
第６発明に係るターミナルカバーは、第５発明に係るターミナルカバーであって、爪部は、第２壁部の間に第２壁部の立ち上がり方向と直交する面である第１面を有する。なお、ここで、第２壁部の立ち上がり方向は、係合方向と直交する。
このターミナルカバーでは、爪部が、第２壁部の間に第２壁部の立ち上がり方向と直交する面である第１面を有する。このため、このターミナルカバーは、爪部を突出方向と反対方向に押しやすくなり、ターミナルガードから容易に取り外すことができる。
【００１３】
第７発明に係るターミナルカバーは、第５発明または第６発明に係るターミナルカバーであって、第２壁部は、爪部の突出側の端面が第１壁部から係合方向へ向かうに従って遮蔽部に向かって傾斜する。
このターミナルカバーでは、第２壁部の爪部突出側の端面が第１壁部から係合方向へ向かうに従って遮蔽部に向かって傾斜する。このため、このターミナルカバーは、ターミナルガードに嵌め込みやすくなる。
【００１４】
第８発明に係るターミナルカバーは、第１発明から第７発明のいずれかに係るターミナルカバーであって、スリット部をさらに備える。スリット部は、係合方向に向かって延びている。そして、このスリット部は、爪部を挟むように爪部の近傍に配置される。
このターミナルカバーは、スリット部をさらに備える。このため、このターミナルカバーは、爪部を突出方向と反対方向に引っ込めやすくなり、ターミナルガードから容易に取り外すことができる。
【００１５】
第９発明に係るターミナルカバーは、第４発明から第８発明のいずれかに係るターミナルカバーであって、第１壁部は、係合方向の反対側に係合方向と直交する面である第２面を有する。また、開口は、爪部の侵入側の面である第３面が係合方向と直交している。
このターミナルカバーでは、第１壁部が係合方向の反対側に係合方向と直交する面である第２面を有し、開口の爪部の侵入側の面である第３面が係合方向と直交している。このため、このターミナルカバーは、ターミナルガードに嵌め込まれたときに、安定して固定される。
【００１６】
第１０発明に係るターミナル保護構造は、ターミナルガードおよびターミナルカバーを備える。ターミナルガードは、圧縮機のケーシングからケーシングの外側に突出するターミナルの周囲に立設される。そして、このターミナルガードは、開口を有している。ターミナルカバーは、爪部および遮蔽部を有する。爪部は、開口に係合可能である。遮蔽部は、爪部が開口に係合したときに開口からターミナルに至る全経路を遮蔽する。
【００１７】
このターミナル保護構造では、爪部が開口に係合したときに、遮蔽部が開口からターミナルに至る全経路を遮蔽する。このため、このターミナル保護構造では、取り外し作業者がターミナルを破損することなくターミナルカバーを取り外すことができる。
【発明の効果】
【００１８】
第１発明に係るターミナルカバーは、取り外し作業者がターミナルを破損することなく無事に取り外すことができる。
第２発明に係るターミナルカバーは、爪部と遮蔽部とが別に設けられる場合に比べて少ない樹脂の量で製造することができる。
第３発明に係るターミナルカバーは、爪部の下から係合方向と反対方向に力を加えることができ、ターミナルガードからの取り外しがさらに容易となる。
【００１９】
第４発明に係るターミナルカバーは、反係合方向（引き抜き方向）に力が加わるように第１壁部に取り外し用ジグを当てれば、従来よりも小さい力でターミナルガードから引き抜くことができる。
第５発明に係るターミナルカバーは、ターミナルガードから反係合方向（引き抜き方向）に引き抜かれるときに、係合方向および壁（第１壁部および第２壁部）の立ち上がり方向の両方向に直交する方向に取り外し用ジグがずれるのを防止することができる。したがって、このターミナルは、ターミナルガードからより容易に引き抜くことができる。
【００２０】
第６発明に係るターミナルカバーは、爪部を突出方向と反対方向に押しやすくなり、ターミナルガードから容易に取り外すことができる。
第７発明に係るターミナルカバーは、ターミナルガードに嵌め込みやすくなる。
第８発明に係るターミナルカバーは、爪部を突出方向と反対方向に引っ込めやすくなり、ターミナルガードから容易に取り外すことができる。
【００２１】
第９発明に係るターミナルカバーは、ターミナルガードに嵌め込まれたときに、安定して固定される。
第１０発明に係るターミナル保護構造では、取り外し作業者がターミナルを破損することなくターミナルカバーを取り外すことができる。
【発明を実施するための最良の形態】
【００２２】
ここでは、図１〜図１５および図３５を用いて本発明の実施の形態に係る圧縮機１のターミナル保護体について説明する。
なお、ここで、図１は、本発明の実施の形態に係るターミナルガードの外観斜視図である。図２は、本発明の実施の形態に係るターミナルガードの上面図である。図３は、本発明の実施の形態に係るターミナルガードの側面図である。図４は、本発明の実施の形態に係るターミナルガードの正面図である。図５は、本発明の実施の形態に係るターミナルガードの背面図である。図６は、本発明の実施の形態に係るターミナルカバーの外観斜視図である。図７は、本発明の実施の形態に係るターミナルカバーの上面図である。図８は、本発明の実施の形態に係るターミナルカバーの側面図である。図９は、本発明の実施の形態に係るターミナルカバーの正面図である。図１０は、本発明の実施の形態に係るターミナルカバーの背面図である。図１１は、本発明の実施の形態に係るターミナルカバーの底面図である。図１２は、本発明の実施の形態に係るターミナルカバーの爪部のＡ−Ａ断面図である。図１３は、本発明の実施の形態に係るターミナルカバーの補強リブのＢ−Ｂ断面図である。図１４は、本発明の実施の形態に係るターミナルカバーがターミナルガードに係合されたときの側面図である。図１５は、本発明の実施の形態に係るターミナルカバーがターミナルガードに係合されたときのＣ−Ｃ断面図である。図３５は、本発明の実施の形態に係るターミナルカバーに採用される爪部の拡大図である。
【００２３】
〔ターミナル保護体〕
本発明の実施の形態に係る圧縮機１のターミナル保護体は、図１４および図１５に示されるように、ターミナルガード１０及びターミナルカバー４０から形成される。
以下、ターミナルガード１０及びターミナルカバー４０についてそれぞれ詳述する。
（１）ターミナルガード
ターミナルガード１０は、図１〜図５に示されるように、主に、ターミナル３（図１６参照）を挿通するための第３開口１１を有しケーシング２（図１６参照）の形状に沿った形状を呈する底部１２と、底部１２の縁から立設される第３囲い壁部２０とから形成される金属製のガードである。ここで、第３囲い壁部２０は、第３前壁部２１、第３後壁部２４、第３左壁部２２、および第３右壁部２３の４つの壁部を有している。そして、第３左壁部２２および第３右壁部２３には、それぞれ、ターミナルカバー４０の爪部（後述）を係合するための矩形の第４開口３１が設けられている。なお、ここで、第４開口３１を形成する面のうちターミナルカバー４０の爪部６１の侵入側の面である第５面Ｓｉは、ターミナルカバー４０の係合方向Ｄｊと直交する平面とされている。また、第３前壁部２１には、ターミナル３のターミナルピン４と接続されるリード線（図示せず）をターミナルガード１０の外側に導き出すための第３リード線通し口３２が設けられている。
【００２４】
（２）ターミナルカバー
ターミナルカバー４０は、図６〜図１１に示されるように、主に、略方形の天壁部４１と、天壁部４１の縁から下方に延びる第４囲い壁部５０とから形成される略升形の樹脂製カバーであって、先に説明したターミナルガード１０の内側に嵌め込まれる（図１４および図１５参照）。ここで、第４囲い壁部５０は、第４前壁部５１、第４後壁部５４、第４左壁部５２、および第４右壁部５３の４つの壁部を有している。なお、ここで、壁部とは、天壁部４１の天面Ｓａと直交する面を有する部分を指す。そして、第４左壁部５２および第４右壁部５３には、それぞれ、幅方向のほぼ中央に（ターミナルカバー４０全体で見た場合は奥行き方向の中央に）、高さ方向のほぼ中央から下端に向かって延びる爪部６１が設けられている。また、この爪部６１は、図６、図７、図９、図１０、および図１１に示されるように、第４左壁部５２および第４右壁部５３の外側に突出している。
【００２５】
そして、この爪部６１は、図３５に示されるように、第４開口３１への係合方向Ｄｊの反対側に係合方向Ｄｊと直交する壁である第１爪壁部６４と、第１爪壁部６４の両端部から係合方向Ｄｊに向かって延びる２つの壁である第２爪壁部６５ａ，６５ｂとから構成されている。そして、この結果、この第２爪壁部６５ａ，６５ｂの間には凹部６６が形成されている（図１２参照）。この凹部６６の底面Ｓｂは、第４左壁部５２または第４右壁部５３の外表面と同一面上に存在し、第１爪壁部６４および第２爪壁部６５ａ，６５ｂの立ち上がり方向Ｄｗと直交している。
【００２６】
第１爪壁部６４は、係合方向Ｄｊに直交し係合方向Ｄｊの反対側に形成される面である第１１表面Ｓｆ１と、係合方向Ｄｊに向かうに従って爪部突出方向Ｄｐに向かって傾斜する第１２表面Ｓｆ２と、係合方向Ｄｊに向かうに従って爪部突出方向Ｄｐと反対方向に向かって傾斜する第１３表面Ｓｆ３とを有している。
第２爪壁部６５ａ，６５ｂは、係合方向Ｄｊに向かうに従って爪部突出方向Ｄｐと反対方向に向かって傾斜する第１４表面Ｓｆ４を有している。なお、この第１４表面Ｓｆ４は、第１爪壁部６４の第１３表面Ｓｆ３と連続している。
【００２７】
また、第４左壁部５２および第４右壁部５３には、爪部６１を挟むように爪部６１の近傍に配置されほぼ上端から係合方向Ｄｊに向かって下端まで延びるように形成されるスリット部６３がそれぞれ設けられる。そして、第４左壁部５２および第４右壁部５３のうちスリット部６３に挟まれる部分である開口遮蔽部分ＰＢ（図８参照）は、従来のターミナルカバー９５０（図２７および２９参照）の相当部分よりも下方（係合方向）に延長されており、取り外しジグをターミナル３に衝突させないための遮蔽板として機能する。なお、ここで、高さ方向は、爪部突出方向Ｄｐと直交し、係合方向Ｄｊと平行である。また、第４前壁部５１には、ターミナル３のターミナルピン４と接続されるリード線をターミナルカバー４０から導き出すための第４リード線通し口６２が設けられている。
【００２８】
また、このターミナルカバー４０には、図１１に示されるように、内面に補強リブ６７が設けられる。補強リブ６７は、ターミナルカバー４０の幅方向および奥行き方向に所定の間隔を空けて天壁部４１の裏面上に配列される円形リブ６７ａ（図１３参照）と、幅方向に平行であって複数の円形リブ６７ａの中心を通る第１仮想線上に設けられ複数の円形リブ６７ａを接合する複数の第１線状リブ６７ｂと、奥行き方向に平行であって複数の円形リブ６７ａの中心を通る第２仮想線上に設けられ複数の円形リブ６７ａを接合する複数の第２線状リブ６７ｃと、幅方向の両端に配される円形リブ６７ａから第１仮想線を含む面でターミナルカバー４０を切ったときの断面形状に沿って第４左壁部５２および第４右壁部５３の下端まで形成される第１曲折リブ６７ｄと、奥行き方向の両端に配される円形リブ６７ａから第２仮想線を含む面でターミナルカバー４０を切ったときの断面形状に沿って第４前壁部５１および第４後壁部５４の下端まで形成される第２曲折リブ６７ｅとから構成されている。なお、ここで、幅方向は、爪部突出方向Ｄｐと平行であり、係合方向Ｄｊと直交する。また、奥行き方向は、爪部突出方向Ｄｐと直交し、係合方向Ｄｊとも直交する。
そして、このターミナルカバー４０がターミナルガード１０に係合されると、図１４および図１５に示されるようなターミナル保護体が形成される。このターミナル保護体では、図１４に示されるように、ターミナルガード１０の第４開口３１がターミナルカバー４０の第４左壁部５２または第４右壁部５３により完全に遮蔽される。
【００２９】
〔ターミナル保護体の特徴〕
（１）
本実施の形態に係るターミナルカバー４０は、爪部６１が第４開口３１に係合したときに第４開口３１からターミナル３に至る全経路を第４左壁部５２および第４右壁部５３のスリット部６３に挟まれる部分ＰＢが遮蔽する。このため、取り外し作業者は、ターミナル３を破損することなくこのターミナルカバー４０を無事に取り外すことができる。
【００３０】
（２）
本実施の形態に係るターミナルカバー４０では、爪部６１が、第１爪壁部６４と第２爪壁部６５ａ，６５ｂとから形成されており、第２爪壁部６５ａ，６５ｂの間には凹部６６が存在している。このため、このターミナルカバー４０には、取り外し作業者が取り外しジグを凹部６６に挿入するように誘導するという効果が生じる。また、凹部６６の存在により、取り外し作業者は、爪部６１を爪部６１の突出方向と反対方向に押し込めやすくなる。また、第１爪壁部６４の存在により、取り外し作業者は、ターミナルカバー４０を反係合方向に持ち上げやすくなる。また、第２爪壁部６５ａ，６５ｂの存在により、取り外しジグがターミナルカバー４０の奥行き方向にぶれることがない。
【００３１】
（３）
本実施の形態に係るターミナルカバー４０では、第２爪壁部６５ａ，６５ｂに第１４表面Ｓｆ４が形成されている。このため、取り付け作業者は、ターミナルカバー４０をターミナルガード１０に嵌め込みやすくなる。
（４）
本実施の形態に係るターミナルカバー４０には、スリット部６３が設けられている。このため、取り外し作業者は、爪部６１を突出方向と反対方向に引っ込めやすくなり、ターミナルカバー４０をターミナルガード１０から容易に取り外すことができる。
【００３２】
（５）
本実施の形態に係るターミナルガード１０では、第４開口３１を形成する面のうちターミナルカバー４０の爪部６１の侵入側の面（第５面Ｓｉ）が、平面であり、係合方向と直交する関係にある。そして、これに対し、本実施の形態に係るターミナルカバー４０では、爪部６１の係合方向Ｄｊの反対側に係合方向Ｄｊに直交する面（第１１表面Ｓｆ１）が設けられている。このため、ターミナルカバー４０がターミナルガード１０に嵌め込まれると、第５面Ｓｉと第１１表面Ｓｆ１とが面接触することになる。このため、本実施の形態に係るターミナル保護体では、ターミナルカバー４０がターミナルガード１０に安定して係合固定される。
【００３３】
〔変形例〕
（Ａ）
先の実施の形態に係るターミナルカバー４０では、爪部６１が開口遮蔽部分ＰＢ上に形成されていたが、ターミナルカバーを図１７〜図２１に示されるように設計してターミナルガード１０の第４開口３１を遮蔽するようにしてもよい。つまり、ターミナルカバー１４０の内部に、第４左壁部５２および第４右壁部５３に平行な左遮蔽壁１５２および右遮蔽壁１５３を設けるということである。なお、かかる場合、第４左壁部５２および第４右壁部５３のうちスリット部６３に挟まれる部分が従来のターミナルカバー９５０（図２７および２９参照）の相当部分と同一の長さであってよい。また、かかる場合、凹部６６がない爪部１６１を採用してもよい。このようにすれば、取り外し作業者は、従来の取り外し方法を使用しながらも、ターミナル３を破損することなくこのターミナルカバー４０を無事に取り外すことができる。
【００３４】
（Ｂ）
先の実施形態に係るターミナルカバー４０では、凹部６６の底面Ｓｂが第４左壁部５２または第４右壁部５３の外表面と同一面上に存在していたが、凹部６６の底面Ｓｂは、第４左壁部５２または第４右壁部５３の外表面と同一面上に存在しなくてもよい。例えば、凹部６６の底面Ｓｂが第４左壁部５２または第４右壁部５３の外表面よりも爪部突出側に位置していてもよい。
【産業上の利用可能性】
【００３５】
本発明に係るターミナルカバーは、取り外し作業者がターミナルを破損することなく無事に取り外すことができるという特徴を有し、圧縮機のターミナルの保護カバーとして有用である。
【図面の簡単な説明】
【００３６】
【図１】本発明の実施の形態に係るターミナルガードの外観斜視図である。
【図２】本発明の実施の形態に係るターミナルガードの上面図である。
【図３】本発明の実施の形態に係るターミナルガードの右側面図である。
【図４】本発明の実施の形態に係るターミナルガードの正面図である。
【図５】本発明の実施の形態に係るターミナルガードの背面図である。
【図６】本発明の実施の形態に係るターミナルカバーの外観斜視図である。
【図７】本発明の実施の形態に係るターミナルカバーの上面図である。
【図８】本発明の実施の形態に係るターミナルカバーの右側面図である。
【図９】本発明の実施の形態に係るターミナルカバーの正面図である。
【図１０】本発明の実施の形態に係るターミナルカバーの背面図である。
【図１１】本発明の実施の形態に係るターミナルカバーの裏面図である。
【図１２】本発明の実施の形態に係るターミナルカバーの爪部のＡ−Ａ断面図である。
【図１３】本発明の実施の形態に係るターミナルカバーの補強リブのＢ−Ｂ断面図である。
【図１４】本発明の実施の形態に係るターミナルカバーが本発明の実施の形態に係るターミナルガードに係合されたときの右側面図である。
【図１５】本発明の実施の形態に係るターミナルカバーが本発明の実施の形態に係るターミナルガードに係合されたときのＣ−Ｃ断面図である。
【図１６】圧縮機から突出するターミナルの外観斜視図である。
【図１７】変形例（Ａ）に係るターミナルカバーの上面図である。
【図１８】変形例（Ａ）に係るターミナルカバーの右側面図である。
【図１９】変形例（Ａ）に係るターミナルカバーの正面図である。
【図２０】変形例（Ａ）に係るターミナルカバーの背面図である。
【図２１】変形例（Ａ）に係るターミナルカバーの裏面図である。
【図２２】従来のターミナルガードの外観斜視図である。
【図２３】従来のターミナルガードの上面図である。
【図２４】従来のターミナルガードの右側面図である。
【図２５】従来のターミナルガードの正面図である。
【図２６】従来のターミナルガードの背面図である。
【図２７】従来のターミナルカバーの外観斜視図である。
【図２８】従来のターミナルカバーの上面図である。
【図２９】従来のターミナルカバーの右側面図である。
【図３０】従来のターミナルカバーの正面図である。
【図３１】従来のターミナルカバーの背面図である。
【図３２】従来のターミナルカバーの裏面図である。
【図３３】従来のターミナルカバーが従来のターミナルガードに係合されたときの右側面図である。
【図３４】従来のターミナルカバーが従来のターミナルガードに係合されたときのＤ−Ｄ断面図である。
【図３５】本発明の実施の形態に係るターミナルカバーに採用される爪部の拡大図である。なお、本図において、（ａ）は爪部の正面図であり、（ｂ）は爪部の側面図である。
【符号の説明】
【００３７】
１      圧縮機
２      ケーシング
３      ターミナル
１０      ターミナルガード
３１      第４開口（開口）
４０      ターミナルカバー
６１      爪部
６３      スリット部
６４      第１爪壁部
６５ａ，６５ｂ      第２爪壁部
Ｄｊ        係合方向
Ｄｗ        立ち上がり方向
ＰＢ        開口遮蔽部分（遮蔽部）
Ｓｂ        凹部の底面（第１面）
Ｓｆ１      第１１表面（第２面）
Ｓｆ４      第１４表面（爪部の突出側の端面）
Ｓｉ      第５面（第３面）
【図１】
2007146728.tif 000003
【図２】
2007146728.tif 000004
【図３】
2007146728.tif 000005
【図４】
2007146728.tif 000006
【図５】
2007146728.tif 000007
【図６】
2007146728.tif 000008
【図７】
2007146728.tif 000009
【図８】
2007146728.tif 000010
【図９】
2007146728.tif 000011
【図１０】
2007146728.tif 000012
【図１１】
2007146728.tif 000013
【図１２】
2007146728.tif 000014
【図１３】
2007146728.tif 000015
【図１４】
2007146728.tif 000016
【図１５】
2007146728.tif 000017
【図１６】
2007146728.tif 000018
【図１７】
2007146728.tif 000019
【図１８】
2007146728.tif 000020
【図１９】
2007146728.tif 000021
【図２０】
2007146728.tif 000022
【図２１】
2007146728.tif 000023
【図２２】
2007146728.tif 000024
【図２３】
2007146728.tif 000025
【図２４】
2007146728.tif 000026
【図２５】
2007146728.tif 000027
【図２６】
2007146728.tif 000028
【図２７】
2007146728.tif 000029
【図２８】
2007146728.tif 000030
【図２９】
2007146728.tif 000031
【図３０】
2007146728.tif 000032
【図３１】
2007146728.tif 000033
【図３２】
2007146728.tif 000034
【図３３】
2007146728.tif 000035
【図３４】
2007146728.tif 000036
【図３５】
2007146728.tif 000037
【手続補正書】
【提出日】平成18年11月24日(2006.11.24)
【手続補正１】
【補正対象書類名】特許請求の範囲
【補正対象項目名】請求項４
【補正方法】変更
【補正の内容】
【請求項４】
前記爪部（６１）は、前記開口への係合方向（Ｄｊ）と直交する壁である第１壁部（６４）を有し、前記ターミナルガードの内側から係合する、
請求項１から３のいずれかに記載のターミナルカバー（４０）。
【手続補正２】
【補正対象書類名】特許請求の範囲
【補正対象項目名】請求項９
【補正方法】変更
【補正の内容】
【請求項９】
前記第１壁部は、前記係合方向と直交する面である第２面（Ｓｆ１）を有し、
前記開口は、前記爪部の侵入側の面である第３面（Ｓｉ）が前記係合方向と直交している、
請求項４から８のいずれかに記載のターミナルカバー（４０、１４０）。
【手続補正３】
【補正対象書類名】明細書
【補正対象項目名】００１０
【補正方法】変更
【補正の内容】
【００１０】
第４発明に係るターミナルカバーは、第１発明から第３発明のいずれかに係るターミナルカバーであって、爪部は、第１壁部を有する。第１壁部は、開口への係合方向と直交する。また、この爪部は、ターミナルガードの内側から係合する。
このターミナルカバーでは、爪部が、第１壁部を有し、ターミナルガードの内側から係合する。このため、このターミナルカバーは、反係合方向（引き抜き方向）に力が加わるように第１壁部に取り外し用ジグを当てれば、従来よりも小さい力でターミナルガードから引き抜くことができる。
【手続補正４】
【補正対象書類名】明細書
【補正対象項目名】００１５
【補正方法】変更
【補正の内容】
【００１５】
第９発明に係るターミナルカバーは、第４発明から第８発明のいずれかに係るターミナルカバーであって、第１壁部は、係合方向と直交する面である第２面を有する。また、開口は、爪部の侵入側の面である第３面が係合方向と直交している。
このターミナルカバーでは、第１壁部が第２面を有し、開口の爪部の侵入側の面である第３面が係合方向と直交している。このため、このターミナルカバーは、ターミナルガードに嵌め込まれたときに、安定して固定される。